(57)【要約】【課題】利用者本人の過去の行動や家族等の生活を簡易に見守ることが可能な生活見守りシステムを提供する。【解決手段】生活見守りサーバ１０は、生活情報保存用のユーザ登録があらかじめなされた利用者の携帯端末例えば携帯電話機０１から当該利用者の生活情報を受信した際に、受信した生活情報をデータベース１１に生活情報１１ａとして保存し、また、生活情報閲覧用のユーザ登録があらかじめなされた利用者の例えば携帯電話機０２から生活情報の閲覧要求を受信した際に、保存している生活情報１１ａの中から、前記閲覧要求に応じた生活情報を抽出して、閲覧要求元の携帯電話機０２に返送する。携帯電話機０２は、受信した生活情報をサイト情報表示機能５により画面表示する。生活情報として、歩数計機能１により計数された歩数計情報３、エリア情報取得機能２により取得されたエリア情報４を少なくとも含む。【選択図】        図１
2010187284.tif 000002
【特許請求の範囲】
【請求項１】
携帯端末の利用者の生活を見守るための生活情報を登録する生活見守りサーバと、前記携帯端末とがネットワークを介して接続される構成の生活見守りシステムであって、前記生活見守りサーバは、生活情報保存用のユーザ登録があらかじめなされた利用者の前記携帯端末から前記生活情報を受信した際に、受信した前記生活情報を保存し、また、生活情報閲覧用のユーザ登録があらかじめなされた利用者の前記携帯端末から前記生活情報の閲覧要求を受信した際に、保存している前記生活情報のうち、前記閲覧要求に応じた前記生活情報を抽出して、閲覧要求元の前記携帯端末に返送することを特徴とする生活見守りシステム。
【請求項２】
前記生活見守りサーバからの前記生活情報を受信した前記携帯端末は、受信した前記生活情報を画面表示するサイト情報表示機能を備えていることを特徴とする請求項１に記載の生活見守りシステム。
【請求項３】
前記生活見守りサーバは、前記生活情報保存用のユーザ登録用の情報として、利用者が使用する携帯端末の電話番号、当該利用者を特定するＩＤを、少なくともあらかじめ登録することを特徴とする請求項１または２に記載の生活見守りシステム。
【請求項４】
前記生活見守りサーバは、前記生活情報閲覧用のユーザ登録用の情報として、利用者が使用する携帯端末の電話番号、当該利用者を特定するＩＤ、前記生活情報の閲覧対象とする利用者を指定する閲覧ＩＤ、当該閲覧ＩＤにより指定される利用者の前記生活情報へのアクセス権を示すアクセス許可番号、当該利用者専用のパスワードを、少なくともあらかじめ登録することを特徴とする請求項１ないし３のいずれかに記載の生活見守りシステム。
【請求項５】
利用者の前記生活情報として、当該利用者の前記携帯端末に備えられた歩数計機能により計数された歩数計情報、当該利用者の前記携帯端末に備えられたエリア情報取得機能により取得されたエリア情報を少なくとも含み、当該利用者の前記携帯端末は、前記歩数計情報と前記エリア情報とを紐付けして前記生活情報として前記生活見守りサーバに送信することを特徴とする請求項１ないし４のいずれかに記載の生活見守りシステム。
【請求項６】
利用者の前記生活情報に含まれる前記エリア情報は、要所要所に配置されてそれぞれの配置場所に関するエリア情報を提供するアクセスポイントのうち、前記携帯端末の近傍に位置する前記アクセスポイントに対して、前記エリア情報取得機能がアクセスすることにより取得されることを特徴とする請求項５に記載の生活見守りシステム。
【請求項７】
前記エリア情報取得機能は、あらかじめ定めた時間が経過する都度、あるいは、あらかじめ定めた歩数を前記歩数計情報が計数する都度、前記アクセスポイントに対してアクセスすることを特徴とする請求項６に記載の生活見守りシステム。
【請求項８】
前記エリア情報取得機能は、前記携帯端末に備えられているＧＰＳ機能により逐次検出される現在位置情報を取得し、当該携帯端末は、前記歩数計機能により計数された歩数計情報と前記エリア情報取得機能により取得された前記現在位置情報とを紐付けして、前記生活情報とすることを特徴とする請求項５に記載の生活見守りシステム。
【請求項９】
携帯端末の利用者の生活を見守るための生活情報を登録する生活見守りサーバであって、生活情報保存用のユーザ登録があらかじめなされた利用者の前記携帯端末から前記生活情報を受信した際に、受信した前記生活情報を保存し、また、生活情報閲覧用のユーザ登録があらかじめなされた利用者の前記携帯端末から前記生活情報の閲覧要求を受信した際に、保存している前記生活情報のうち、前記閲覧要求に応じた前記生活情報を抽出して、閲覧要求元の前記携帯端末に返送することを特徴とする生活見守りサーバ。
【請求項１０】
前記生活情報保存用のユーザ登録用の情報として、利用者が使用する携帯端末の電話番号、当該利用者を特定するＩＤを、少なくともあらかじめ登録することを特徴とする請求項９に記載の生活見守りサーバ。
【請求項１１】
前記生活情報閲覧用のユーザ登録用の情報として、利用者が使用する携帯端末の電話番号、当該利用者を特定するＩＤ、前記生活情報の閲覧対象とする利用者を指定する閲覧ＩＤ、当該閲覧ＩＤにより指定される利用者の前記生活情報へのアクセス権を示すアクセス許可番号、当該利用者専用のパスワードを、少なくともあらかじめ登録することを特徴とする請求項９または１０に記載の生活見守りサーバ。
【請求項１２】
利用者の前記生活情報として、前記携帯端末に備えられた歩数計機能により計数された歩数計情報、前記携帯端末に備えられたエリア情報取得機能により取得されたエリア情報を少なくとも含むことを特徴とする請求項９ないし１１のいずれかに記載の生活見守りサーバ。
【請求項１３】
利用者の生活を見守るための生活情報を登録する生活見守りサーバとネットワークを介して接続される携帯端末であって、当該携帯端末の利用者の前記生活情報を取得する生活情報取得機能を備え、該生活情報取得機能により取得した利用者の前記生活情報を前記生活見守りサーバに送信することを特徴とする携帯端末。
【請求項１４】
前記生活見守りサーバに登録されている前記生活情報の閲覧要求を送信することにより、前記生活見守りサーバから受信した前記生活情報を画面表示するサイト情報表示機能を備えていることを特徴とする請求項１３に記載の携帯端末。
【請求項１５】
前記生活見守りサーバに送信する前記閲覧要求として、利用者を特定するＩＤ、前記生活情報の閲覧対象とする利用者を指定する閲覧ＩＤ、当該閲覧ＩＤにより指定される利用者の前記生活情報へのアクセス権を示すアクセス許可番号を少なくとも含む情報を前記生活見守りサーバに送信することを特徴とする請求項１４に記載の携帯端末。
【請求項１６】
利用者の歩数を歩数計情報として計数する歩数計機能、当該携帯端末が位置するエリアをエリア情報として取得するエリア情報所得機能とを備え、利用者の前記生活情報として、前記歩数計機能により計数された前記歩数計情報、前記エリア情報取得機能により取得された前記エリア情報を少なくとも含み、前記歩数計情報と前記エリア情報とを紐付けして前記生活情報として前記生活見守りサーバに送信することを特徴とする請求項１３ないし１５のいずれかに記載の携帯端末。
【請求項１７】
利用者の前記生活情報に含まれる前記エリア情報は、要所要所に配置されてそれぞれの配置場所に関するエリア情報を提供するアクセスポイントのうち、当該携帯端末の近傍に位置する前記アクセスポイントに対して、前記エリア情報取得機能がアクセスすることにより取得されることを特徴とする請求項１６に記載の携帯端末。
【請求項１８】
前記エリア情報取得機能は、あらかじめ定めた時間が経過する都度、あるいは、あらかじめ定めた歩数を前記歩数計情報が計数する都度、前記アクセスポイントに対してアクセスすることを特徴とする請求項１７に記載の携帯端末。
【請求項１９】
現在位置を検出するＧＰＳ機能を備え、前記エリア情報取得機能は、前記ＧＰＳ機能により逐次検出される現在位置情報を取得し、当該携帯端末は、前記歩数計機能により計数された歩数計情報と前記エリア情報取得機能により取得された前記現在位置情報とを紐付けして、前記生活情報とすることを特徴とする請求項１６に記載の携帯端末。
【請求項２０】
携帯端末の利用者の生活情報を前記携帯端末から取得して登録する生活見守りサーバを備えて、前記携帯端末の利用者の生活を見守る生活見守り方法であって、前記生活見守りサーバは、生活情報保存用のユーザ登録があらかじめなされた利用者の前記携帯端末から前記生活情報を受信した際に、受信した前記生活情報を保存し、また、生活情報閲覧用のユーザ登録があらかじめなされた利用者の前記携帯端末から前記生活情報の閲覧要求を受信した際に、保存している前記生活情報のうち、前記閲覧要求に応じた前記生活情報を抽出して、閲覧要求元の前記携帯端末に返送することを特徴とする生活見守り方法。
【請求項２１】
前記生活見守りサーバからの前記生活情報を受信した前記携帯端末は、受信した前記生活情報を画面表示することを特徴とする請求項２０に記載の生活見守り方法。
【請求項２２】
前記生活見守りサーバは、前記生活情報保存用のユーザ登録用の情報として、利用者が使用する携帯端末の電話番号、当該利用者を特定するＩＤを、少なくともあらかじめ登録することを特徴とする請求項２０または２１に記載の生活見守り方法。
【請求項２３】
前記生活見守りサーバは、前記生活情報閲覧用のユーザ登録用の情報として、利用者が使用する携帯端末の電話番号、当該利用者を特定するＩＤ、前記生活情報の閲覧対象とする利用者を指定する閲覧ＩＤ、当該閲覧ＩＤにより指定される利用者の前記生活情報へのアクセス権を示すアクセス許可番号、当該利用者専用のパスワードを、少なくともあらかじめ登録することを特徴とする請求項２０ないし２２のいずれかに記載の生活見守り方法。
【請求項２４】
利用者の前記生活情報として、当該利用者の前記携帯端末に備えられた歩数計機能により計数された歩数計情報、当該利用者の前記携帯端末に備えられたエリア情報取得機能により取得されたエリア情報を少なくとも含み、当該利用者の前記携帯端末は、前記歩数計情報と前記エリア情報とを紐付けして前記生活情報として前記生活見守りサーバに送信することを特徴とする請求項２０ないし２３のいずれかに記載の生活見守り方法。
【請求項２５】
利用者の前記生活情報に含まれる前記エリア情報は、要所要所に配置されてそれぞれの配置場所に関するエリア情報を提供するアクセスポイントのうち、前記携帯端末の近傍に位置する前記アクセスポイントに対して、前記エリア情報取得機能がアクセスすることにより取得されることを特徴とする請求項２４に記載の生活見守り方法。
【請求項２６】
前記エリア情報取得機能は、あらかじめ定めた時間が経過する都度、あるいは、あらかじめ定めた歩数を前記歩数計情報が計数する都度、前記アクセスポイントに対してアクセスすることを特徴とする請求項２５に記載の生活見守り方法。
【請求項２７】
前記エリア情報取得機能は、前記携帯端末に備えられているＧＰＳ機能により逐次検出される現在位置情報を取得し、当該携帯端末は、前記歩数計機能により計数された歩数計情報と前記エリア情報取得機能により取得された前記現在位置情報とを紐付けして、前記生活情報とすることを特徴とする請求項２４に記載の生活見守り方法。
【請求項２８】
請求項２０，２２ないし２３のいずれかに記載の生活見守り方法を、コンピュータにより実行可能なサーバのプログラムとして実施していることを特徴とする生活見守りプログラム。
【請求項２９】
請求項２８に記載の生活見守りプログラムを、コンピュータにより読み取り可能な記録媒体に記録していることを特徴とする生活見守りプログラム。
【請求項３０】
請求項２１，２４ないし２７のいずれかに記載の生活見守り方法を、コンピュータにより実行可能な携帯端末のプログラムとして実施していることを特徴とする生活見守りプログラム。
【請求項３１】
請求項３０に記載の生活見守りプログラムを、コンピュータにより読み取り可能な記録媒体に記録していることを特徴とするプログラム記録媒体。
【発明の詳細な説明】
【技術分野】
【０００１】
本発明は、生活見守りシステム、生活見守りサーバ、携帯端末、生活見守り方法、生活見守りプログラムおよびプログラム記録媒体に関する。
【背景技術】
【０００２】
（発明の背景）
現在、携帯電話機の付加機能として、歩数計を搭載した携帯電話機が普及しており、例えば、特許文献１の特開２００１−２３１０６７号公報「歩数計付き携帯無線通信装置」に記載されているように、一日の歩数情報、消費カロリー量などを計測することができる仕組みが開発されている。また、ＧＰＳ機能、はたまた、アクセスポイントにアクセスしてエリア情報を取得することができるエリア情報取得機能を有する携帯電話機も普及しており、リアルタイムで位置情報やエリア情報を閲覧することができる仕組みも確立してきている。
【先行技術文献】
【特許文献】
【０００３】
【特許文献１】特開２００１−２３１０６７号公報（第２−３頁）
【発明の概要】
【発明が解決しようとする課題】
【０００４】
しかしながら、歩数計機能とエリア情報取得機能との双方をリンクさせて、例えば、一日のデータを保持して、当日、自分が、どこで何をしていたのかということを遡って閲覧するような仕組みにはなっていない。歩数計機能とエリア情報取得機能との双方をリンクして備えた携帯電話機を利用することが可能になれば、例えば、忘れ物をしたことを気付いたときなどの場合でも、携帯電話機によって、当日、どこを歩いていたのかなどの情報を表示することができるならば、自分の当日の行動を把握することができ、自身の行動を思い出すためのヒントを提供することになり、携帯電話機の付加機能としての利便性を向上させることができる。
【０００５】
また、現在、高齢化社会が進んでおり、生活安全の見守り方法の簡易化も進められている。例えば、部屋にセンサを取り付けて、高齢者の行動を見守る方法、ポットにセンサを取り付けてポットの使用情報を監視することによって、高齢者の生活状況を見守る方法、また、あらかじめ定めた頻度で高齢者と定期的に連絡を取り合うことによって、高齢者の生活情報を見守る方法、などが提案され、一部実施に移行している状況にある。
【０００６】
しかし、前述のようないずれの生活安全見守り方法も、専用の機器を購入する必要があって、高齢者への負担がかかったり、あるいは、定期的な連絡を取り合ったりする手間がかかったりするという問題がある。
【０００７】
本発明は、かかる事情に鑑みてなされたものであり、利用者自身の過去の行動や高齢者などを含む家族等の生活を簡易に見守ることが可能な生活見守りシステム、生活見守りサーバ、携帯端末、生活見守り方法、生活見守りプログラムおよびプログラム記録媒体を提供することを、その目的としている。
【課題を解決するための手段】
【０００８】
前述の課題を解決するため、本発明による生活見守りシステムは、次のような特徴的な構成を採用している。
【０００９】
（１）携帯端末の利用者の生活を見守るための生活情報を登録する生活見守りサーバと、前記携帯端末とがネットワークを介して接続される構成の生活見守りシステムであって、前記生活見守りサーバは、生活情報保存用のユーザ登録があらかじめなされた利用者の前記携帯端末から前記生活情報を受信した際に、受信した前記生活情報を保存し、また、生活情報閲覧用のユーザ登録があらかじめなされた利用者の前記携帯端末から前記生活情報の閲覧要求を受信した際に、保存している前記生活情報のうち、前記閲覧要求に応じた前記生活情報を抽出して、閲覧要求元の前記携帯端末に返送する生活見守りシステム。
【発明の効果】
【００１０】
本発明の生活見守りシステム、生活見守りサーバ、携帯端末、生活見守り方法、生活見守りプログラムおよびプログラム記録媒体によれば、以下のような効果を奏することができる。
【００１１】
第１に、本生活見守りシステムの利用者は、指定した日時の生活情報を簡単に取得して閲覧することができるので、自分の過去の行動を振り返ることが可能であり、例えば、忘れ物をした場合に、いつ、どこを歩いていたのかを思い出すことができ、忘れ物をした場所に思い当たることを支援することができる。
【００１２】
第２に、本生活見守りシステムの利用者は、アクセス許可が得られた特定の他人の指定した日時の生活情報を自由に取得して閲覧することができるので、遠く離れた家族は、高価な専用の機器などを購入することなく、簡単に、遠方にいる高齢者等の身内の生活状況を確認することができる。
【００１３】
第３に、本生活見守りシステムの利用者は、事前に、生活情報を閲覧するためのアクセス権限に関する登録を行うことにより、アクセス権限を有していない人が生活見守りサーバに保存されている利用者各人の生活情報に対するアクセス制限を行うことができ、利用者の生活情報のセキュリティ性を確保することができる。
【図面の簡単な説明】
【００１４】
【図１】本発明に係る生活見守りシステムの一構成例を示すシステム構成図である。
【図２】図１に示す生活見守りサーバのデータベースに蓄積する生活情報、ユーザ登録情報の構成例を示すテーブルである。
【図３】本発明に係る携帯端末の動作の一例を示すフローチャートである。
【図４】本発明に係る生活見守りサーバの動作の一例を示すフローチャートである。
【発明を実施するための形態】
【００１５】
以下、本発明による生活見守りシステム、生活見守りサーバ、携帯端末、生活見守り方法、生活見守りプログラムおよびプログラム記録媒体の好適な実施例について添付図を参照して説明する。なお、以下の説明においては、本発明による生活見守りシステム、生活見守りサーバ、携帯端末、生活見守り方法について説明するが、かかる生活見守り方法をコンピュータにより実行可能な生活見守りプログラムとして実施するようにしても良いし、あるいは、生活見守りプログラムをコンピュータにより読み取り可能な記録媒体に記録するようにしても良いことは言うまでもない。
【００１６】
なお、以下の説明においては、本発明に係る携帯端末として、携帯電話機を例にとって説明するが、本発明に係る携帯端末は、携帯電話機のみならず、ＰＨＳ（Personal Handy-phone System）端末やＰＤＡ（Personal Digital Assistants）端末、携帯ノートＰＣ（Personal Computer）、携帯音楽プレーヤなど、ユーザが携行することが可能な情報処理端末であれば、如何なる端末であっても構わない。
【００１７】
（本発明の特徴）
本発明の実施形態の説明に先立って、本発明の特徴についてその概要をまず説明する。本発明は、利用者自身や高齢の身内等の生活を見守るための生活情報を管理する生活見守りサーバ（アプリケーションサーバ）を備え、携帯端末例えば携帯電話機に搭載された歩数計機能、エリア情報取得機能と連携することによって、携帯端末例えば携帯電話機を携行している利用者の生活を簡単に見守ることを可能とする仕組みを提供することを特徴としている。
【００１８】
つまり、本発明は、携帯端末例えば携帯電話機を携行している利用者の歩数情報、エリア情報を、生活見守りサーバに逐次登録することによって、当該利用者が過去に歩いた歩数、歩行場所等の生活情報を、当該利用者自身や家族など特定の他人が、いつでも、自由に閲覧することを可能にしている。なお、生活見守りサーバに登録されている各人の生活情報のセキュリティを確保する仕組みも、該生活見守りサーバに備えている。
【００１９】
（本発明に係る生活見守りシステムの構成例）
次に、本発明に係る生活見守りシステムの一構成例について、図１を用いて説明する。図１は、本発明に係る生活見守りシステムの一構成例を示すシステム構成図である。図１に示す生活見守りシステムは、生活見守りサーバ１０と各利用者が携行する携帯端末例えば携帯電話機０１，０２，…とがネットワーク２０を介して接続されて構成されている。さらに、エリア情報を提供するアクセスポイント３０も要所要所に配置されており、近傍を通過する利用者の携帯端末例えば携帯電話機０１に対して当該エリア情報を通知するように構成されている。
【００２０】
なお、携帯電話機０１は、歩数計機能、エリア情報取得機能を兼ね備えた構成を有しており、生活情報を提供する利用者が携行する端末である。このため、該携帯電話機０１は、歩数を計数して、歩数計情報３として保存するとともに生活見守りサーバ１０に送信する歩数計機能１、移動した場所の近傍に設置されているアクセスポイント３０から当該場所を示すエリア情報３１が通知されてきた場合、該エリア情報３１を受信してエリア情報４として保存するとともに生活見守りサーバ１０に送信するエリア情報取得機能２、生活見守りサーバ１０への問合せ結果を画面表示するサイト情報表示機能５を少なくとも備えている。
【００２１】
また、携帯電話機０２は、歩数計機能、エリア情報取得機能を有していない端末であるものの、生活見守りサーバ１０へのアクセス権を備えていて、特定の人の生活情報を取得して、当該特定の人の生活見守りを行う利用者が携行する端末である。このため、該携帯電話機０２は、生活見守りサーバ１０への問合せ結果を画面表示するサイト情報表示機能５を少なくとも備えている。
【００２２】
また、生活見守りサーバ１０は、各種生活情報を蓄積して、生活見守りに関する問合せ元の携帯電話機０１，０２，…からの要求に応じた生活情報を提供するサーバである。このため、生活見守りサーバ１０は、生活情報を提供する利用者が携行する携帯電話機０１等から逐次送信されてくる各種生活情報を受信して保存するためのデータベース１１を少なくとも備えている。該データベース１１は、携帯電話機０１から送信されてくる各種生活情報（例えば、歩数計情報、エリア情報等）を保存して登録する生活情報１１ａの他に、各アクセスポイント３０のエリア情報３１と対応付けた情報を有する地図を保存している地図情報１１ｂ、当該生活見守りサーバ１０へのアクセス権を有する利用者を登録しているユーザ登録情報１１ｃを少なくとも含んで構成されている。
【００２３】
（本発明に係る生活見守りシステムの動作例）
次に、図１に示す生活見守りシステム１００の動作についてその一例を詳細に説明する。まず、生活見守りサーバ１０のデータベース１１に蓄積している情報のうち、生活情報１１ａ、ユーザ登録情報１１ｃについて図２を用いて説明する。図２は、図１に示す生活見守りサーバ１０のデータベース１１に蓄積する生活情報１１ａ、ユーザ登録情報１１ｃの構成例を示すテーブルであり、図２（Ａ）が、生活情報１１ａの構成例を示し、図２（Ｂ）が、ユーザ登録情報１１ｃの構成例を示している。
【００２４】
図２（Ａ）に示すように、生活情報１１ａは、生活情報を提供する利用者が携行する携帯電話機０１等から逐次送信されてくる各種生活情報を、順次、登録するものであり、該利用者を特定するＩＤ１１ａ１、生活情報が取得された日時１１ａ２、当該利用者の生活情報の一例を示す歩数計情報１１ａ３、エリア情報１１ａ４を、利用者毎に、時系列的に登録している。
【００２５】
また、図２（Ｂ）に示すように、ユーザ登録情報１１ｃは、利用者を特定するためのＩＤ１１ｃ１、当該利用者が利用する携帯電話機の電話番号１１ｃ２、生活見守りサーバ１０に保存している生活情報のうち閲覧対象の生活情報の利用者を指定する閲覧ＩＤ１１ｃ３、生活見守りサーバ１０へのアクセスを許可するためのアクセス許可番号１１ｃ４、当該利用者専用のパスワード１１ｃ５を少なくとも登録している。例えば、図２（Ｂ）においては、閲覧ＩＤ１１ｃ３に示すように、ＩＤ１１ｃ１が“０００１”の利用者については、当該利用者自身の生活情報の閲覧が可能であるが、ＩＤ１１ｃ１が“０００２”の利用者は、当該利用者自身の生活情報の他に、ＩＤ１１ｃ１が“０００１”の利用者の生活情報も閲覧することが許可されている。
【００２６】
かくのごとく、本生活見守りシステムを利用する利用者は、当該利用者が使用する携帯電話機を用いて、あらかじめ、生活見守りサーバ１０にアクセスして、利用要求を行い、データベース１１に、ユーザ登録情報１１ｃとして、当該利用者のユーザ情報を登録することが必要である。
【００２７】
該利用要求を受け取ると、生活見守りサーバ１０は、利用要求元の携帯電話機の電話番号を取得した後、当該利用者を特定するためのＩＤ、アクセス許可番号を設定するとともに、当該利用者による生活情報の閲覧を許可する対象の利用者を特定し、かつ、当該利用者専用に使用するパスワードを取得して、それぞれを、ユーザ登録情報１１ｃとして、データベース１１に登録する。ユーザ登録情報１１ｃを登録した利用者は、以降、登録したＩＤ１１ｃ１、アクセス許可番号１１ｃ４、パスワード１１ｃ５を用いて、生活見守りサーバ１０に登録されている生活情報１１ａのうち、閲覧ＩＤ１１ｃ３に設定されている利用者の生活情報を閲覧することができる状態になる。
【００２８】
次に、利用者が携行する携帯端末例えば携帯電話機０１の動作について、図３のフローチャートを用いて説明する。図３は、本発明に係る携帯端末の動作の一例を示すフローチャートであり、当該携帯端末を携行する利用者の生活情報（歩数計情報、エリア情報等）を、生活見守りサーバ１０に登録する動作の一例を示している。
【００２９】
図３のフローチャートにおいて、まず、携帯電話機０１の歩数計機能１をＯＮした場合、または、歩数計機能１をＯＮしているものの、休憩中で移動していなかった状態（歩数計が停止していた状態）から歩行状態に移行して歩数計が動作を開始した場合（ステップＳ１）、自動的にエリア情報取得機能２を作動させて、近傍に配置されているアクセスポイント３０に対してエリア情報３１の取得要求を行う（ステップＳ２）。
【００３０】
近傍のアクセスポイント３０からエリア情報３１を受信すると（ステップＳ２のＯＫ）、エリア情報取得機能２によって取得されたエリア情報を、歩数計機能１により取得された歩数計情報３と紐付けした形式にして、日時とともに、エリア情報４として保存していくとともに、生活見守りサーバ１０に対して生活情報として送信する（ステップＳ３）。ただし、常時、近傍のアクセスポイント３０にアクセスしてエリア情報３１を取得する動作を継続していると、携帯電話機０１の電池消費量が多くなるので、あらかじめ定めた経過時間（例えば１時間）またはあらかじめ定めた歩数（例えば５，０００歩）を、エリア情報の更新登録用の閾値として決めておく。
【００３１】
しかる後、更新登録用の閾値（例えば１時間経過や５，０００歩の歩数）に達したか否かを判定し（ステップＳ４）、閾値に達していなかった場合には（ステップＳ４のＮＯ）、エリア情報の取得動作を行うことなく、歩数計機能１により計測される歩数計情報３のみを逐次保存していく。一方、閾値に達していた場合には（ステップＳ４のＹＥＳ）、現在地を示すエリア情報を更新するために、自動的にエリア情報取得機能２を作動させて、近傍に配置されているアクセスポイント３０に対してエリア情報３１の取得要求を行う（ステップＳ５）。
【００３２】
近傍のアクセスポイント３０からエリア情報３１を受信すると（ステップＳ５のＯＫ）、エリア情報４に今まで保存されていたエリア情報と比較して、不一致であれば、今回取得したエリア情報３１を、エリア情報４として、日時、歩数計情報３と紐付けした形で更新登録する。
【００３３】
さらに、新たな更新登録用の閾値に達した状態における当該携帯電話機０１を携行する利用者の生活情報として、エリア情報４、歩数計情報３、日時を、生活見守りサーバ１０に対しても送信する（ステップＳ６）。ただし、生活見守りサーバ１０に対する生活情報の送信は、かくのごとく、更新登録用の閾値に達する都度、起動するのではなく、あらかじめ定めた送信周期ごとに、各送信周期に達するまでに保存されているエリア情報４や歩数計情報３の履歴をまとめて送信するようにしても良いし、あるいは、エリア情報４が更新された際に、その時点までに保存されているエリア情報４や歩数計情報３の履歴をまとめて送信するようにしても良い。
【００３４】
以上のように、利用者が携行する携帯端末例えば携帯電話機０１によって収集された生活情報（歩数計情報やエリア情報等）を、定期的にあるいは生活情報（例えばエリア情報）の変化が検出される都度、自動的に、当該携帯端末例えば携帯電話機０１から生活見守りサーバ１０に対して、送信する動作を繰り返すので、当該携帯端末例えば携帯電話機０１の利用者は、生活見守りサーバ１０に生活情報を逐次登録するための何らの操作も行う必要はない。
【００３５】
次に、利用者の生活を見守るための生活情報を提供する生活見守りサーバ１０の動作について、図４のフローチャートを用いて説明する。図４は、本発明に係る生活見守りサーバ１０の動作の一例を示すフローチャートであり、図４（Ａ）は、携帯端末例えば携帯電話機０１から送信されてくる利用者の生活情報（歩数計情報、エリア情報等）をデータベース１１の生活情報１１ａとして登録する保存動作の一例を示し、図４（Ｂ）は、携帯端末例えば携帯電話機０１からの生活情報の閲覧要求に応じて、データベース１１に登録されている生活情報１１ａの中から該当する利用者の生活情報を取り出して、要求元の携帯端末例えば携帯電話機０１に返送する閲覧動作の一例を示している。
【００３６】
まず、図４（Ａ）に示す保存動作のフローチャートを用いて、携帯端末例えば携帯電話機０１から送信されてくる利用者の生活情報（歩数計情報、エリア情報等）をデータベース１１の生活情報１１ａとして登録する動作について説明する。
【００３７】
図４（Ａ）のフローチャートにおいて、まず、携帯端末例えば携帯電話機０１から、当該携帯端末例えば携帯電話機０１の利用者の生活情報の保存要求（当該利用者を特定するＩＤ番号が付与されている）を受信すると（ステップＳ１１）、データベース１１のユーザ登録情報１１ｃを参照して、保存要求元の携帯端末例えば携帯電話機０１の電話番号およびＩＤ番号が登録されているか否かを確認する（ステップＳ１２）。データベース１１のユーザ登録情報１１ｃに該当する情報が登録されていなかった場合は（ステップＳ１２のＮＧ）、保存要求を拒否して、エラーの旨を保存要求元の携帯端末例えば携帯電話機０１に返送して（ステップＳ１６）、保存動作を終了する。
【００３８】
一方、データベース１１のユーザ登録情報１１ｃに保存要求元の携帯端末例えば携帯電話機０１の電話番号およびＩＤ番号が登録されていた場合（ステップＳ１２のＯＫ）、当該利用者の生活情報保存用の認証が得られたものとして、次に、データベース１１の生活情報１１ａに保存されている当該利用者の最新の生活情報を参照する（ステップＳ１３）。しかる後、時系列的に保存するために、該最新の生活情報にリンク付けを行う形式で、今回の保存要求として受信した生活情報を、新たな最新の新規時刻の生活情報として、データベース１１の生活情報１１ａに保存登録する（ステップＳ１４）。保存が完了した後、保存要求元の携帯端末例えば携帯電話機０１に対して、生活情報の保存登録が成功した旨の応答を返送する（ステップＳ１５）。
【００３９】
次に、図４（Ｂ）に示す閲覧動作のフローチャートを用いて、携帯端末例えば携帯電話機０１から送信されてくる閲覧要求に応じてデータベース１１の生活情報１１ａの中から要求された生活情報を取り出して、閲覧要求元の携帯端末例えば携帯電話機０１に返送することにより当該生活情報の閲覧に供する動作について説明する。
【００４０】
図４（Ｂ）のフローチャートにおいて、まず、携帯端末例えば携帯電話機０１から、当該携帯端末例えば携帯電話機０１の利用者の生活情報の閲覧要求（当該利用者を特定するＩＤ番号、閲覧対象を示す閲覧ＩＤ、日時およびアクセス許可番号が付与されている）を受信すると（ステップＳ２１）、データベース１１のユーザ登録情報１１ｃを参照して、閲覧要求元の利用者の携帯端末例えば携帯電話機０１の電話番号、ＩＤ、閲覧ＩＤおよびアクセス許可番号が登録されているか否かを確認する（ステップＳ２２）。ここで、アクセス許可番号は、閲覧ＩＤにより指定されている利用者の生活情報を閲覧するアクセス権限を有しているか否かを示している。データベース１１のユーザ登録情報１１ｃに該当する情報が登録されていなかった場合は（ステップＳ２２のＮＧ）、閲覧要求を拒否して、エラーの旨を閲覧要求元の利用者の携帯端末例えば携帯電話機０１に返送して（ステップＳ２５）、閲覧動作を終了する。
【００４１】
一方、データベース１１のユーザ登録情報１１ｃに閲覧要求元の携帯端末例えば携帯電話機０１の電話番号、ＩＤ、閲覧ＩＤおよびアクセス許可番号が登録されていた場合（ステップＳ２２のＯＫ）、さらに、当該利用者専用のパスワードの入力を要求して、当該利用者の携帯端末例えば携帯電話機０１から、データベース１１のユーザ登録情報１１ｃに登録されているパスワード１１ｃ５に該当するパスワードを受信した際に、当該利用者の閲覧用の認証が得られたものとして、次に、データベース１１の生活情報１１ａに保存されている生活情報１１ａの中から、前記閲覧要求の閲覧ＩＤによって指定されている利用者の生活情報を参照して、その中から、該閲覧要求の日時によって指定されている日時の生活情報（歩数計情報、エリア情報等）を抽出する。
【００４２】
さらに、抽出した生活情報に含まれているエリア情報に基づいて、データベース１１の地図情報１１ｂを参照して、当該エリア情報に該当するエリアの地図情報を取得する。しかる後、抽出した生活情報（歩数計情報やエリア情報等）と取得した地図情報とを紐付けした状態にして、閲覧用生活情報として、閲覧要求元の携帯端末例えば携帯電話機０１に返送する（ステップＳ２３）。生活見守りサーバ１０から返送されてきた閲覧用生活情報を受信した携帯端末例えば携帯電話機０１は、サイト情報表示機能５により、受信した閲覧用生活情報を画面表示することによって、閲覧要求対象の利用者の生活情報のうち指定した日時の生活情報（歩数計情報、エリア情報等）とともに、該生活情報のエリア情報が示すエリアの地図情報も合わせて閲覧することができる（ステップＳ２４）。
【００４３】
かくのごとき閲覧動作を行うことにより、利用者本人の過去の生活情報のうち、指定した日時の生活情報を簡単に閲覧することができる。例えば、生活情報として歩数計情報、エリア情報が提供される場合には、いつ、どこを、どのくらい歩いたのかという情報について、簡単に閲覧することができる。したがって、例えば、忘れ物をした場合に、どの辺りを移動していたかを容易に把握することができ、自身の当時の行動を思い出すヒントが得られるので、忘れ物をした場所に思い当たることを支援することができる。
【００４４】
さらには、高齢者等の特定の他人の生活情報をその家族が閲覧したい場合、生活見守りサーバ１０に該当者の生活情報を閲覧可能な状態になるように、ユーザ登録情報１１ｃとして、事前に設定登録しておくことによって、セキュリティを確保しつつ、特定の人の生活情報を、いつでも閲覧することができ、当該特定の人の生活ぶりや行動を簡単に確認することができる。
【００４５】
なお、前述の実施形態においては、アクセスポイント３０にアクセスしてエリア情報３１を受信することによって、利用者の生活情報を構成するエリア情報を取得する例を示したが、携帯端末例えば携帯電話機にＧＰＳ機能が搭載されている場合には、該ＧＰＳ機能により取得される現在位置情報と連携して、より詳細な位置情報（歩行した道順を示す情報など）を、利用者の生活情報を構成するエリア情報として取得しておいて、要求に応じて、携帯端末例えば携帯電話機に表示させるようにしても良い。
【００４６】
（実施形態の効果の説明）
以上に詳細に説明したように、本実施形態によれば、次のような効果が得られる。
【００４７】
第１に、本生活見守りシステムの利用者は、指定した日時の生活情報を簡単に取得して閲覧することができるので、自分の過去の行動を振り返ることが可能であり、例えば、忘れ物をした場合に、いつ、どこを歩いていたのかを思い出すことができ、忘れ物をした場所に思い当たることを支援することができる。
【００４８】
第２に、本生活見守りシステムの利用者は、アクセス許可が得られた特定の他人の指定した日時の生活情報を自由に取得して閲覧することができるので、遠く離れた家族は、高価な専用の機器などを購入することなく、簡単に、遠方にいる高齢者等の身内の生活状況を確認することができる。
【００４９】
第３に、本生活見守りシステムの利用者は、事前に、生活情報を閲覧するためのアクセス権限に関する登録を行うことにより、アクセス権限を有していない人が生活見守りサーバ１０に保存されている利用者各人の生活情報に対するアクセス制限を行うことができ、利用者の生活情報のセキュリティ性を確保することができる。
【００５０】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記生活見守りサーバからの前記生活情報を受信した前記携帯端末は、受信した前記生活情報を画面表示するサイト情報表示機能を備えている上記（１）の生活見守りシステム。
（３）前記生活見守りサーバは、前記生活情報保存用のユーザ登録用の情報として、利用者が使用する携帯端末の電話番号、当該利用者を特定するＩＤを、少なくともあらかじめ登録する上記（１）または（２）の生活見守りシステム。
（４）前記生活見守りサーバは、前記生活情報閲覧用のユーザ登録用の情報として、利用者が使用する携帯端末の電話番号、当該利用者を特定するＩＤ、前記生活情報の閲覧対象とする利用者を指定する閲覧ＩＤ、当該閲覧ＩＤにより指定される利用者の前記生活情報へのアクセス権を示すアクセス許可番号、当該利用者専用のパスワードを、少なくともあらかじめ登録する上記（１）ないし（３）のいずれかの生活見守りシステム。
（５）利用者の前記生活情報として、当該利用者の前記携帯端末に備えられた歩数計機能により計数された歩数計情報、当該利用者の前記携帯端末に備えられたエリア情報取得機能により取得されたエリア情報を少なくとも含み、当該利用者の前記携帯端末は、前記歩数計情報と前記エリア情報とを紐付けして前記生活情報として前記生活見守りサーバに送信する上記（１）ないし（４）のいずれかの生活見守りシステム。
（６）利用者の前記生活情報に含まれる前記エリア情報は、要所要所に配置されてそれぞれの配置場所に関するエリア情報を提供するアクセスポイントのうち、前記携帯端末の近傍に位置する前記アクセスポイントに対して、前記エリア情報取得機能がアクセスすることにより取得される上記（５）の生活見守りシステム。
（７）前記エリア情報取得機能は、あらかじめ定めた時間が経過する都度、あるいは、あらかじめ定めた歩数を前記歩数計情報が計数する都度、前記アクセスポイントに対してアクセスする上記（６）の生活見守りシステム。
（８）前記エリア情報取得機能は、前記携帯端末に備えられているＧＰＳ機能により逐次検出される現在位置情報を取得し、当該携帯端末は、前記歩数計機能により計数された歩数計情報と前記エリア情報取得機能により取得された前記現在位置情報とを紐付けして、前記生活情報とする上記（５）の生活見守りシステム。
（９）携帯端末の利用者の生活を見守るための生活情報を登録する生活見守りサーバであって、生活情報保存用のユーザ登録があらかじめなされた利用者の前記携帯端末から前記生活情報を受信した際に、受信した前記生活情報を保存し、また、生活情報閲覧用のユーザ登録があらかじめなされた利用者の前記携帯端末から前記生活情報の閲覧要求を受信した際に、保存している前記生活情報のうち、前記閲覧要求に応じた前記生活情報を抽出して、閲覧要求元の前記携帯端末に返送する生活見守りサーバ。
（１０）前記生活情報保存用のユーザ登録用の情報として、利用者が使用する携帯端末の電話番号、当該利用者を特定するＩＤを、少なくともあらかじめ登録する上記（９）の生活見守りサーバ。
（１１）前記生活情報閲覧用のユーザ登録用の情報として、利用者が使用する携帯端末の電話番号、当該利用者を特定するＩＤ、前記生活情報の閲覧対象とする利用者を指定する閲覧ＩＤ、当該閲覧ＩＤにより指定される利用者の前記生活情報へのアクセス権を示すアクセス許可番号、当該利用者専用のパスワードを、少なくともあらかじめ登録する上記（９）または（１０）の生活見守りサーバ。
（１２）利用者の前記生活情報として、前記携帯端末に備えられた歩数計機能により計数された歩数計情報、前記携帯端末に備えられたエリア情報取得機能により取得されたエリア情報を少なくとも含む上記（９）ないし（１１）のいずれかの生活見守りサーバ。
（１３）利用者の生活を見守るための生活情報を登録する生活見守りサーバとネットワークを介して接続される携帯端末であって、当該携帯端末の利用者の前記生活情報を取得する生活情報取得機能を備え、該生活情報取得機能により取得した利用者の前記生活情報を前記生活見守りサーバに送信する携帯端末。
（１４）前記生活見守りサーバに登録されている前記生活情報の閲覧要求を送信することにより、前記生活見守りサーバから受信した前記生活情報を画面表示するサイト情報表示機能を備えている上記（１３）の携帯端末。
（１５）前記生活見守りサーバに送信する前記閲覧要求として、利用者を特定するＩＤ、前記生活情報の閲覧対象とする利用者を指定する閲覧ＩＤ、当該閲覧ＩＤにより指定される利用者の前記生活情報へのアクセス権を示すアクセス許可番号を少なくとも含む情報を前記生活見守りサーバに送信する上記（１４）の携帯端末。
（１６）利用者の歩数を歩数計情報として計数する歩数計機能、当該携帯端末が位置するエリアをエリア情報として取得するエリア情報所得機能とを備え、利用者の前記生活情報として、前記歩数計機能により計数された前記歩数計情報、前記エリア情報取得機能により取得された前記エリア情報を少なくとも含み、前記歩数計情報と前記エリア情報とを紐付けして前記生活情報として前記生活見守りサーバに送信する上記（１３）ないし（１５）のいずれかの携帯端末。
（１７）利用者の前記生活情報に含まれる前記エリア情報は、要所要所に配置されてそれぞれの配置場所に関するエリア情報を提供するアクセスポイントのうち、当該携帯端末の近傍に位置する前記アクセスポイントに対して、前記エリア情報取得機能がアクセスすることにより取得される上記（１６）の携帯端末。
（１８）前記エリア情報取得機能は、あらかじめ定めた時間が経過する都度、あるいは、あらかじめ定めた歩数を前記歩数計情報が計数する都度、前記アクセスポイントに対してアクセスする上記（１７）の携帯端末。
（１９）現在位置を検出するＧＰＳ機能を備え、前記エリア情報取得機能は、前記ＧＰＳ機能により逐次検出される現在位置情報を取得し、当該携帯端末は、前記歩数計機能により計数された歩数計情報と前記エリア情報取得機能により取得された前記現在位置情報とを紐付けして、前記生活情報とする上記（１６）の携帯端末。
（２０）携帯端末の利用者の生活情報を前記携帯端末から取得して登録する生活見守りサーバを備えて、前記携帯端末の利用者の生活を見守る生活見守り方法であって、前記生活見守りサーバは、生活情報保存用のユーザ登録があらかじめなされた利用者の前記携帯端末から前記生活情報を受信した際に、受信した前記生活情報を保存し、また、生活情報閲覧用のユーザ登録があらかじめなされた利用者の前記携帯端末から前記生活情報の閲覧要求を受信した際に、保存している前記生活情報のうち、前記閲覧要求に応じた前記生活情報を抽出して、閲覧要求元の前記携帯端末に返送する生活見守り方法。
（２１）前記生活見守りサーバからの前記生活情報を受信した前記携帯端末は、受信した前記生活情報を画面表示する上記（２０）の生活見守り方法。
（２２）前記生活見守りサーバは、前記生活情報保存用のユーザ登録用の情報として、利用者が使用する携帯端末の電話番号、当該利用者を特定するＩＤを、少なくともあらかじめ登録する上記（２０）または（２１）の生活見守り方法。
（２３）前記生活見守りサーバは、前記生活情報閲覧用のユーザ登録用の情報として、利用者が使用する携帯端末の電話番号、当該利用者を特定するＩＤ、前記生活情報の閲覧対象とする利用者を指定する閲覧ＩＤ、当該閲覧ＩＤにより指定される利用者の前記生活情報へのアクセス権を示すアクセス許可番号、当該利用者専用のパスワードを、少なくともあらかじめ登録する上記（２０）ないし（２２）のいずれかの生活見守り方法。
（２４）利用者の前記生活情報として、当該利用者の前記携帯端末に備えられた歩数計機能により計数された歩数計情報、当該利用者の前記携帯端末に備えられたエリア情報取得機能により取得されたエリア情報を少なくとも含み、当該利用者の前記携帯端末は、前記歩数計情報と前記エリア情報とを紐付けして前記生活情報として前記生活見守りサーバに送信する上記（２０）ないし（２３）のいずれかの生活見守り方法。
（２５）利用者の前記生活情報に含まれる前記エリア情報は、要所要所に配置されてそれぞれの配置場所に関するエリア情報を提供するアクセスポイントのうち、前記携帯端末の近傍に位置する前記アクセスポイントに対して、前記エリア情報取得機能がアクセスすることにより取得される上記（２４）の生活見守り方法。
（２６）前記エリア情報取得機能は、あらかじめ定めた時間が経過する都度、あるいは、あらかじめ定めた歩数を前記歩数計情報が計数する都度、前記アクセスポイントに対してアクセスする上記（２５）の生活見守り方法。
（２７）前記エリア情報取得機能は、前記携帯端末に備えられているＧＰＳ機能により逐次検出される現在位置情報を取得し、当該携帯端末は、前記歩数計機能により計数された歩数計情報と前記エリア情報取得機能により取得された前記現在位置情報とを紐付けして、前記生活情報とする上記（２４）の生活見守り方法。
（２８）上記（２０），（２２）ないし（２３）のいずれかの生活見守り方法を、コンピュータにより実行可能なサーバのプログラムとして実施している生活見守りプログラム。
（２９）上記（２８）の生活見守りプログラムを、コンピュータにより読み取り可能な記録媒体に記録している生活見守りプログラム。
（３０）上記（２１），（２４）ないし（２７）のいずれかの生活見守り方法を、コンピュータにより実行可能な携帯端末のプログラムとして実施している生活見守りプログラム。
（３１）上記（３０）の生活見守りプログラムを、コンピュータにより読み取り可能な記録媒体に記録しているプログラム記録媒体。
【符号の説明】
【００５１】
１        歩数計機能
２        エリア情報取得機能
３        歩数計情報
４        エリア情報
５        サイト情報表示機能
０１      携帯電話機
０２      携帯電話機
１０      生活見守りサーバ
１１      データベース
１１ａ    生活情報
１１ａ１    ＩＤ
１１ａ２    日時
１１ａ３    歩数計情報
１１ａ４    エリア情報
１１ｂ    地図情報
１１ｃ    ユーザ登録情報
１１ｃ１    ＩＤ
１１ｃ２    電話番号
１１ｃ３    閲覧ＩＤ
１１ｃ４    アクセス許可番号
１１ｃ５    パスワード
２０      ネットワーク
３０      アクセスポイント
３１      エリア情報
【図１】
2010187284.tif 000003
【図２】
2010187284.tif 000004
【図３】
2010187284.tif 000005
【図４】
2010187284.tif 000006